(57)【要約】      （修正有）【課題】家具の家具本体に固定された引出しガイドを有するアダプタのための新規なロック構成を提供する。【解決手段】引出しガイド４は、家具本体上のガイドレール５と、そこで移動可能なスライドレール７とを有し、スライドレールは受容開口を有し、アダプタは、アダプタをスライドレールにロックさせるために、受容開口内に挿着可能なフックを有するロック構成において、受容開口が、フックをスライドレールの移動方向Ｘに対し直角に挿入可能であり、その後にスライドレールの移動方向に変位可能であるように形成されることと、凹所がスライドレールに設けられ、凹所にロック可能な戻止め突片がアダプタに設けられ、凹所が、フックをスライドレールの移動方向に変位させたときに戻止め突片を最初に凹所にロックさせるようにする。【選択図】図１
2011078758.tif 000002
【特許請求の範囲】
【請求項１】
家具（１）の家具本体（２）または家庭電化製品に固定された引出しガイド（４）を有するアダプタ（９）またはスラスト要素のロック構成であって、
前記引出しガイド（４）が、前記家具本体（２）または前記家庭電化製品に固定された少なくとも１つのガイドレール（５）と、前記ガイドレール（５）内で移動可能な１つのスライドレール（７）とを有し、
前記アダプタ（９）、前記スラスト要素またはスライドレール（７）が少なくとも１つの受容開口（１３）を有しており、前記スライドレール（７）、スラスト要素またはアダプタ（９）が、前記アダプタ（９）またはスラスト要素を前記スライドレール（７）とロックさせるために、前記受容開口（１３）内に挿着可能なフック（１８）を有する、
ロック構成において、
前記受容開口（１３）が、前記フック（１８）を前記スライドレール（７）の移動方向（Ｘ）に対し直角に挿入可能であるように、そしてその後に前記スライドレール（７）の移動方向（ｘ）に変位可能であるように形成されていること、および
少なくとも１つの凹所（１５）が前記アダプタ（９）、スラスト要素またはスライドレール（７）に設けられており、前記凹所（１５）にロック可能な戻止め突片（２０）が前記スライドレール（７）、スラスト要素、またはアダプタ（９）に設けられており、前記フック（１８）を前記スライドレール（７）の移動方向（Ｘ）に変位させているときに前記戻止め突片（２０）が最初に前記凹所（１５）にロック可能であるよう、前記凹所が配置されていることを特徴とする、ロック構成。
【請求項２】
前記アダプタ（９）が長手方向に折曲したＬ字状折曲部品として設けられ、前記アダプタ（９）の第１脚が前記スライドレール（７）にロック可能であり、前板（３）とロックするための戻止め手段（１７）が第２脚（１１）に設けられていることを特徴とする、請求項１に記載のロック構成。
【請求項３】
収納体（８）を保持するための保持ウェブ（１２）がアダプタ（９）の長手方向下縁に沿って形成されていることを特徴とする、請求項１または２に記載のロック構成。
【請求項４】
２つの受容開口（１３）が前記アダプタ（９）またはスラスト要素に設けられ、前記受容開口（１３）内に挿着入可能な２つのフックが前記スライドレール（７）に設けられていることを特徴とする、請求項１〜３のいずれか一項に記載のロック構成。
【請求項５】
前記受容開口（１３）が凹所として設けられていることを特徴とする、請求項１〜４のいずれか一項に記載のロック構成。
【請求項６】
前記受容開口（１３）がポケットとして設けられていることを特徴とする、請求項１〜４のいずれか一項に記載のロック構成。
【請求項７】
前記受容開口（１３）が、前記スライドレール（７）の移動方向（Ｘ）に対し直角に前記フック（１８）を前記受容開口（１３）内に密に固定させることができるように形成されていることを特徴とする、請求項１〜６のいずれか一項に記載のロック構成。
【請求項８】
前記受容開口（１３）が、その上縁領域で前記スライドレール（７）の移動方向（Ｘ）に延びるスロットを開口させた矩形の凹所として設けられていることを特徴とする、請求項７に記載のロック構成。
【請求項９】
前板（３）を追加固定するために、ねじ、だぼその他のものを受容するための少なくとも１つの穴（１６）が前記第２脚（１１）に設けられていることを特徴とする、請求項２〜８のいずれか一項に記載のロック構成。
【請求項１０】
家具本体（２）と、前記家具本体（２）から引き出すことのできる家具部品（８）、特に抽斗を取り付けるために前記家具本体（２）に固定された引出しガイド（４）とを有する家具（１）、特に厨房家具、または家庭電化製品において、請求項１〜９のいずれか一項に記載のロック構成を備えることを特徴とする家具または家庭電化製品。
【発明の詳細な説明】
【技術分野】
【０００１】
本発明は、請求項１の前文部分に記載する、家具の家具本体または家庭電化製品に固定された引出しガイドを有するアダプタまたはスラスト要素のロック構成、および家具または家庭電化製品に関する。
【背景技術】
【０００２】
家具の家具本体に固定された引出しガイドを有するアダプタの種々のロック構成が先行技術から公知である。アダプタをロックするために、引出しガイドのスライドレール上に側方に設けられたタブ内に差込み可能であり、その後ねじを用いてこの位置に保持される、例えば２つの舌片またはフックがアダプタに設けられる。
【０００３】
このようなロック構成は、スライドレール上にアダプタを取り付けるのに多くの作業工程を必要とし、そのために種々の工具を使用しなければならない、という欠点を有する。
【発明の概要】
【発明が解決しようとする課題】
【０００４】
本発明の目的は、家具の家具本体または家庭電化製品に固定された引出しガイドを有するアダプタまたはスラスト要素（ｔｈｒｕｓｔ  ｅｌｅｍｅｎｔ）のロック構成であって、アダプタまたはスラスト要素と引出しガイドとのロックを可能にするロック構成を提供することである。
【課題を解決するための手段】
【０００５】
この目的は、請求項１に記載の特徴を有するロック構成によって達成される。
【０００６】
本発明によると、フックを挿入可能である受容開口は、フックをスライドレールの移動方向に対し直角に挿入可能であり、その後にスライドレールの移動方向に変位可能であるように、形成される。受容開口のスロット内にフックを挿入することにより、引出し方向に対して直角方向のアダプタまたはスラスト要素のリフトアウト（持ち上がっての脱落）の安全性が達成される。さらに、少なくとも１つの凹所がアダプタ、スラスト要素、またはスライドレールに設けられ、該凹所にロック可能な戻止め突片（ｄｅｔｅｎｔ  ｌｕｇ）がスライドレール、スラスト要素、またはアダプタに設けられ、該凹所は戻止め突片が最初に該凹所にロック可能であるように配置され、フックはスライドレールの移動方向に変位する。一方では、引出しガイドへのアダプタの工具不要の取付けが、本発明に係るロック構成を用いて可能になる。戻止め突片によるアダプタのスライドレールとのロックは、エンドユーザが切り離すことのできない、アダプタまたはスラスト要素とスライドレールとの確実なロックをさらに確保する。さらに、戻止め突片を活用した固定により、アダプタまたはスラスト要素を引出しガイドに取り付けるために必要な構成要素が少なくなり、したがって作業工程も少なくなる。
【０００７】
本発明の有利な実施形態は従属請求項の主題である。
【０００８】
ロック構成の有利な実施形態の変形例によると、アダプタは長手方向に折曲したＬ字状折曲部品として設けられ、アダプタの第１脚はスライドレールにロック可能であり、前板をロックするために第２脚に戻止め手段が設けられる。このようにして、前板のアダプタへの工具不要の取付けが可能になる。前板のアダプタへの取付けは、アダプタを引出しガイドに取り付ける前に、または後で実行することができる。
【０００９】
さらなる実施形態の変形例によると、収納体を保持するための保持ウェブが、アダプタに長手方向下縁に沿って形成される。そのような保持ウェブを使用して、収納体は、例えば家具本体の側壁に相互に平行に位置付けられた２つの引出しガイドの間に着脱自在に保持することができる。
【００１０】
有利な実施形態の変形例では、受容開口は、スライドレールの摺動方向に対し直角にフックを受容開口に固定することができるように形成される。スライドレールの摺動方向の戻止め突片を用いてアダプタを固定することを通して、スライドレールの摺動方向に対し直角にフックを受容開口に固定することも、このように形成された受容開口によって確保される。
【００１１】
スラスト要素は板金から製造することが好ましい。
【００１２】
以下、本発明の例示的な実施形態について、添付の図面に基づいてさらに詳しく説明する。
【図面の簡単な説明】
【００１３】
【図１】本発明に係るロック構成の実施形態の変形例が設けられた家具の略上面斜視図を示す。
【図２】本発明に係るロック構成の実施形態の変形例が設けられた家具の略底面斜視図を示す。
【図３】ロック構成のアダプタの実施形態の変形例の略斜視図を示す。
【図４】ロック構成のアダプタの実施形態の変形例の略斜視図を示す。
【図５】図３および図４のアダプタとロックされるスライドレールの略斜視図を示す。
【図６】（ａ）〜（ｃ）は取付け手順を図解するために最初の段階の取付け位置にあるロック構成の実施形態の変形例の側面図を示す。
【発明を実施するための形態】
【００１４】
図１および図２において、参照番号１は家具本体２を有する家具を示し、家具本体２には２つの引出しガイド４が固定され、そこに例えば抽斗（ひきだし）または収納体８および前板３の形をした可動家具部品が位置付けられる。家具１は、居間用家具、オフィス家具、厨房家具として、または家庭電化製品としても、特に冷蔵庫もしくは冷凍庫として、実施され得る。引出しガイド４は、家具本体２の内側に固定されたガイドレール５と、ガイドレール５内を移動可能なスライドレール７とを含むことが好ましい。ガイドレール５とスライドレール７との間に少なくとも１つの引出し延長中間レール６を位置付けることができる。引出しガイド４は引出し転動体として実施されることが好ましい。
【００１５】
アダプタ９上に位置付けられるスライドレール７の実施形態の変形例を図５に詳細に示す。スライドレール７は基本的に、折曲した長手方向側縁を有する平板２３を含み、その外側は中間レール６の折曲縁の内側によって閉囲され、それらの間にボールベアリング（図示せず）が受容される。フック１８は平板２３上に成形され、それらは最初に、平板２３のガイドレールとは反対側の面から約１枚のアダプタ板厚分だけ平板２３から突出し、次いで平板２３と平行に折曲するように形成される。フック１８の端部１９は、平板２３と平行に延びるフック１８の部分から平板とは反対側に折曲される。スライドレール７を中間レール６またはガイドレール５に結合するために、戻止めフック２１が平板２３のガイドレール５側の面から隆起する。
【００１６】
さらに、戻止め突片２０が平板２３のガイドレールとは反対側の面から突起する。フック１８および戻止め突片２０は、図３および図４に様々な斜視図で示すアダプタ９を固定するために使用される。このアダプタ９は、ここに示す実施形態の変形例では、長手方向に折曲したＬ字状折曲部品として実施され、アダプタ９の第１脚１０はスライドレール７にロック可能であり、図１および図２に示された前板３とロックするために、戻止め手段１７が第２脚１１に設けられる。
【００１７】
受容開口１３は、フック１８を受容するためにアダプタ９に設けられる。それらはスライドレール７上のフック１８と相互に同じ距離に位置付けられる。基本的にスライドレール７における１つだけのフック１８およびアダプタ９における１つの受容開口１３の提供も考えられる。また、フックをアダプタ９またはスラスト要素に設け、受容開口１３をスライドレール７に設けることも考えられる。
【００１８】
受容開口１３は、フック１８をスライドレール７の移動方向Ｘに対し直角に挿入することができ、その後スライドレール７の移動方向Ｘに変位させることができるように形成される。
【００１９】
さらに、少なくとも１つの凹所１５がアダプタ９に設けられ、アダプタ９をスライドレール７に取付け中に、該凹所内にスライドレール７の戻止め突片２０を係合させることができる。受容開口１３の１つからの凹所１５の距離は、スライドレール７の移動方向Ｘにフック１８を変位させる間に、戻止め突片２０を最初に凹所１５に係合させることができる大きさに作られる。これを可能にするために、受容開口１３は、上縁領域でスライドレール７の移動方向Ｘに延びるスロット１４が開口する矩形の凹所として実施することが好ましい。こうして、図６の（ａ）〜（ｃ）に示すように、アダプタ９を最初に上からスライドレール７のフック１８上に押し込み（図６の（ａ）および（ｂ））、その後、アダプタ９を引出し方向に引くことによって、またはすでにアダプタ９に接続された前板３を引くことによって、図６の（ｃ）に示すように、フック１８をスロット１４内に挿着させることができる。また図６の（ｂ）および（ｃ）に示すように、戻止め突片２０も、図６の（ｃ）に示す位置で、すなわちフック１８が受容開口１３のスロット内に挿着されたときに、凹所１５にロックされる。
【００２０】
前板３は、アダプタ９の第２脚１１に形成された戻止め手段１７を介して、アダプタ９とロックすることができる。任意に、例えばねじ接続によって前板３をアダプタ９にさらに固定するために、ねじ、だぼ等を受容するための１つ以上の穴を第２脚に設けることができる。
【００２１】
図３および図４に示すアダプタの実施形態の変形例はさらに、例えば長手方向下縁に沿って収納体８を保持するための保持ウェブ１２を有する。前板３とは反対側のアダプタ９の端部にこの収納体８を固定するために、そこに保持面２２を有するアダプタ９も提供されるので、収納体８を保持面２２および保持ウェブ１２によって確実に固定することができる。
【００２２】
ここに示す受容開口１３は、さらなる実施形態の変形例（図示せず）ではポケットとして実施することもできる。上述したロック構成の設計では、アダプタ９のスライドレール７への工具不要の取付けが可能になり、フック１８の設計、受容開口１３、および戻止め突片２０および戻止め突片２０を受容する凹所１５の位置付けのおかげで、スライドレール７へのアダプタ９の確実な固定が確保され、それを再び係脱するには、エンドユーザが大きい力を加えるしかなく、ロック構成を破壊する危険性を伴う。
【符号の説明】
【００２３】
１    家具
２    家具本体
３    前板
４    引出しガイド
５    ガイドレール
６    中間レール
７    スライドレール
８    収納体
９    アダプタ
１０    脚
１１    脚
１２    保持ウェブ
１３    受容開口
１４    スロット
１５    凹所
１６    穴
１７    戻止め手段
１８    フック
１９    端部
２０    戻止め突片
２１    戻止めフック
２２    保持面
２３    平板
Ｘ    移動方向
【図１】
2011078758.tif 000003
【図２】
2011078758.tif 000004
【図３】
2011078758.tif 000005
【図４】
2011078758.tif 000006
【図５】
2011078758.tif 000007
【図６】
2011078758.tif 000008
【外国語明細書】
2011078758000001.pdf